(57)【特許請求の範囲】
【請求項１】
点滅する発光体と、少なくとも図形および画像の一方を表示するモニタと、このモニタを制御するモニタ制御回路と、前記点滅の基準周期となる基準パルスを生成して前記発光体と前記モニタ制御回路とに入力する基準回路と、を備えたブリンク装置において、
前記モニタ制御回路に、前記基準回路から前記基準パルスが入力されてから該モニタ制御回路が前記モニタを制御する所定処理を行った後に、前記基準パルスの１周期から前記所定処理に要した処理時間を差し引いた時間だけ遅らせて、前記モニタに対するブリンクを開始する同期手段を設けた、
ことを特徴とするブリンク装置。
【発明の詳細な説明】
【技術分野】
【０００１】
この発明は、ブリンク（点滅）するインジケータとモニタとを備えたブリンク装置に関し、特にインジケータとモニタとが同期してブリンクするブリンク装置に関する。
【背景技術】
【０００２】
例えば、レーダの操作盤には、発光する百数十個のインジケータ（発光体）が配設されているとともに、図形や画像などを表示するモニタが設けられ、さらに、このモニタを制御するモニタ制御回路が設けられている。このようなインジケータとモニタとを同時にブリンクさせる場合があり、この場合、ブリンクの基準となる基準パルスによって、インジケータとモニタとをブリンクさせる。すなわち、インジケータとモニタ制御回路とに基準パルスが入力され、この基準パルスに基づいてインジケータとモニタとがそれぞれブリンクされる。
【０００３】
しかしながら、モニタ制御回路では、図形や画像を表示するための処理などを行う必要があり、そのための処理時間だけブリンクの開始が遅れてしまう。つまり、インジケータとモニタとのブリンクが、同期しなくなってしまう。
【０００４】
このような非同期を解消するために、モニタによる処理時間（遅延時間）を各インジケータに伝送する経路（ハードウエア）を設け、各インジケータにおいて遅延時間だけ遅らせてブリンクを開始する方法が知られている。また、表示手段における点滅表示の明表示の明表示時間を記憶するとともに、明表示時間を書き換え可能な記憶手段を備え、記憶手段から入力した明表示時間の明表示を行うように点滅表示を制御することで、点滅表示の点滅周期のバラツキを抑える技術が知られている（例えば、特許文献１参照。）。
【先行技術文献】
【特許文献】
【０００５】
【特許文献１】特開２００８−２９２９４９号公報
【発明の概要】
【発明が解決しようとする課題】
【０００６】
ところで、上記のように各インジケータにおいて遅延時間だけブリンクを遅らせる方法では、モニタによる遅延時間を各インジケータに伝送する経路、つまりハードウエアが必要なため、回路・装置が複雑となり、しかも費用がかさむ。また、特許文献１に記載の技術では、点滅表示の点滅周期自体のバラツキを抑えることはできるが、複数の点滅表示間における遅延による点滅周期のズレ、非同期を解消することはできない。
【０００７】
そこでこの発明は、伝送経路などを新たに設けることなく、発光体とモニタとを同期してブリンクさせることが可能なブリンク装置を提供することを目的とする。
【課題を解決するための手段】
【０００８】
上記目的を達成するために請求項１に記載の発明は、点滅する発光体と、少なくとも図形および画像の一方を表示するモニタと、このモニタを制御するモニタ制御回路と、前記点滅の基準周期となる基準パルスを生成して前記発光体と前記モニタ制御回路とに入力する基準回路と、を備えたブリンク装置において、前記モニタ制御回路に、前記基準回路から前記基準パルスが入力されてから該モニタ制御回路が前記モニタを制御する所定処理を行った後に、前記基準パルスの１周期から前記所定処理に要した処理時間を差し引いた時間だけ遅らせて、前記モニタに対するブリンクを開始する同期手段を設けた、ことを特徴とする。
【０００９】
この発明によれば、基準回路で生成された基準パルスが、発光体とモニタ制御回路とに入力され、発光体は、この基準パルスに従ってブリンクを開始する。一方、モニタ制御回路の同期手段によって、基準パルスの１周期Ｔから所定処理に要した処理時間ｔを差し引いた「Ｔ−ｔ」時間だけ遅れて、モニタに対するブリンクが開始される。つまり、所定処理の開始時（ブリンク開始を要する時）から１周期Ｔだけ遅れて、モニタが基準パルスに従ってブリンクを開始する。
【発明の効果】
【００１０】
請求項１に記載の発明によれば、ブリンク開始を要する時から１周期だけ遅れて、つまり、１周期だけブリンクをしないで２周期目から、モニタが基準パルスに従ってブリンクを開始するため、その後は、発光体とモニタとが同期してブリンクする。しかも、既存のモニタ制御回路に同期手段を設けるだけで、伝送経路などのハードウエアを新たに設ける必要がないため、装置・回路が簡素化され、費用を軽減することが可能となる。
【図面の簡単な説明】
【００１１】
【図１】この発明の実施の形態に係わるブリンク装置を示す概略構成図である。
【図２】図１のブリンク装置のモニタ制御回路の論理回路図である。
【図３】図２のモニタ制御回路におけるパルスの変化を示す図であり、（ａ）は基準パルスを示し、（ｂ）はメイン処理部からのパルスを示し、（ｃ）は第１の論理ゲートからのパルスを示し、（ｄ）は第２の論理ゲートからのパルスを示し、（ｅ）は第３の論理ゲートからのパルスを示し、（ｆ）は第４の論理ゲートからのパルスを示し、（ｇ）は可変遅延器からのパルスを示す。
【図４】図１のブリンク装置によるブリンクタイミングを示す図であり、（ａ）は基準パルスを示し、（ｂ）は処理時間ｔだけ遅延したパルスを示し、（ｃ）は（ｂ）の状態から「Ｔ−ｔ」時間だけ遅延したパルスを示す。
【発明を実施するための形態】
【００１２】
次に、この発明の実施の形態について、図面を用いて詳しく説明する。
【００１３】
図１は、この発明の実施の形態に係わるブリンク装置１を示す概略構成図である。このブリンク装置１は、点灯、点滅などするインジケータ（発光体）２と、図形や画像などを表示するモニタ３とをそれぞれ複数備えた装置である。また、１つの基準回路４と、各モニタ３に対応した複数のモニタ制御回路５とを備えている。
【００１４】
インジケータ２は、電球やネオン管、ＬＥＤなどで構成され、後述する基準回路４からの基準パルスに従ってブリンクする。つまり、ブリンク開始を要する時点で、基準パルスに従ってブリンクを開始するようになっている。
【００１５】
基準回路４は、ブリンクの基準周期となる基準パルスを生成して、基準パルスを各インジケータ２と各モニタ制御回路５とに入力・伝送する回路である。
【００１６】
モニタ制御回路５は、モニタ３に図形や画像などを表示するための処理を行ったり、各種のアプリケーションを起動したりする回路である。さらに、モニタ制御回路５には、所定処理を行った後に、基準パルスの１周期Ｔから所定処理に要した処理時間ｔを差し引いた「Ｔ−ｔ」時間だけ遅らせて、モニタ３に対するブリンクを開始する同期部（同期手段）５２が設けられている。
【００１７】
具体的には、図２に示すように、モニタ３に図形などを表示したり、アプリケーションを起動したりするメイン処理部５１と、各論理ゲート５２１〜５２４および可変遅延器５２５からなる同期部５２とが設けられている。そして、基準回路４から図３（ａ）に示すような基準パルスが入力されるとともに、メイン処理部５１においてモニタ３に図形を表示するための処理などの所定処理が行われ、この所定処理に要した処理時間ｔだけ遅延した図３（ｂ）に示すようなパルスが出力される。ここで、処理時間ｔは、処理の内容によって異なり、従って、モニタ制御回路５ごと（モニタ３ごと）に異なる場合がある。次に、メイン処理部５１からのパルスと基準パルスとが、第１の論理ゲート５２１によってアンド演算されて、図３（ｃ）に示すようなパルスが出力され、このパルスが第２の論理ゲート５２２によってノット演算され、図３（ｄ）に示すようなパルスが出力される。
【００１８】
続いて、第２の論理ゲート５２２からのパルスと基準パルスとが、第３の論理ゲート５２３によってアンド演算されて、図３（ｅ）に示すようなパルスが出力される。ここで、このパルスの立ち上がり時間は、処理時間ｔとなっている。さらに、このパルスが第４の論理ゲート５２４によってノット演算され、図３（ｆ）に示すようなパルスが出力される。ここで、このパルスの立ち上がり時間は、「Ｔ−ｔ」となっている。
【００１９】
そして、このパルスが可変遅延器５２５に入力されることで、メイン処理部５１から出力された図３（ｂ）のパルスが「Ｔ−ｔ」時間だけ遅延し、図３（ｇ）に示すようなパルスが出力される。このパルスに従ってモニタ３をブリンクさせることで、所定処理を行ってから「Ｔ−ｔ」時間後に、つまり、図３（ａ）に示す基準パルスの開始から１周期Ｔ後に、モニタ３が基準パルスに従ってブリンクするものである。
【００２０】
なお、図２で示した論理回路は一例であり、これに限定するものではない。
【００２１】
次に、このような構成のブリンク装置１の作用などについて説明する。
【００２２】
まず、基準回路４で基準パルスが生成され、この基準パルスが各インジケータ２と各モニタ制御回路５とに入力されると、各インジケータ２において、図４（ａ）に示すように、この基準パルスに従ってブリンクを開始する。一方、各モニタ制御回路５では、まず、メイン処理部５１によってモニタ３に図形を表示したりする所定処理が行われ、図４（ｂ）に示すように、そのための処理時間ｔが経過する。
【００２３】
続いて、上記のような同期部５２によって、図４（ｃ）に示すように、基準パルスの１周期Ｔから処理時間ｔを差し引いた「Ｔ−ｔ」時間だけ遅れて、モニタ３のブリンクが基準パルスに従って開始される。つまり、メイン処理部５１による所定処理の開始時（ブリンク開始を要する時）から１周期Ｔだけ遅れて、モニタ３が基準パルスに従ってブリンクを開始する。この結果、各インジケータ２のブリンク開始から１ブリンク（１周期）後に、各インジケータ２と同期して各モニタ３がブリンクするものである。
【００２４】
以上のように、このブリンク装置１によれば、ブリンク開始を要する時から１周期Ｔだけ遅れて、つまり、１周期Ｔだけブリンクをしないで２周期目から、各モニタ３が基準パルスに従ってブリンクを開始する。このため、その後は、すべてのインジケータ２とモニタ３とでブリンクが同期し、しかも複数のモニタ３間でもブリンクが同期して、良好・快適な視覚的効果が得られる。
【００２５】
しかも、メイン処理部５１を有する既存のモニタ制御回路５に、論理ゲート５２１〜５２４などから構成される同期部５２を設けるだけでよく、伝送経路などのハードウエアを新たに設ける必要がない。このため、装置・回路が簡素化され、費用を軽減することが可能となる。
【００２６】
以上、この発明の実施の形態を詳述してきたが、具体的な構成は上記の実施の形態に限られるものではなく、この発明の要旨を逸脱しない範囲の設計の変更等があっても、この発明に含まれる。例えば、上記の実施の形態では、各モニタ３に対応してモニタ制御回路５が設けられているが、１つのモニタ制御回路５で複数のモニタ３のブリンクタイミングを制御するようにしてもよい。また、メイン処理部５１による処理の度に、実際の処理時間ｔを用いて遅延時間「Ｔ−ｔ」を算出しているが、処理内容がほぼ一定で処理時間ｔもほぼ一定の場合には、記憶・設定された処理時間ｔで遅延時間「Ｔ−ｔ」を算出してもよい。
【符号の説明】
【００２７】
１      ブリンク装置
２      インジケータ（発光体）
３      モニタ
４      基準回路
５      モニタ制御回路
５１    メイン処理部
５２    同期部（同期手段）
５２５  可変遅延器
Ｔ      １周期
ｔ      処理時間
【図１】
0005943589.tif 000002
【図２】
0005943589.tif 000003
【図３】
0005943589.tif 000004
【図４】
0005943589.tif 000005